【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
座とこれを支持する脚とを備えて、前記脚に、当該脚と前記座とが一体にスイングすることを許容する下向き凸状接地部を形成している構成であって、
前記脚における下向き凸状接地部の両端に、床に当接してスイング動を規制するストッパーが下向きに突設されており、
かつ、前記ストッパーは前記脚とは異なる色に形成されている、
椅子。
【請求項２】
座とこれを支持する脚とを備えて、前記脚に、当該脚と前記座とが一体にスイングすることを許容する下向き凸状接地部を形成している構成であって、
前記脚は、前記下向き凸状接地部とその両端に一体に連続した支柱とを備えて、前記下向き凸状接地部と支柱との連接部は湾曲したコーナー部になっており、前記両コーナー部に、床に当接してスイング動を規制するストッパーが下向きに突設されている、
椅子。
【請求項３】
前記ストッパーは前記脚とは異なる色に形成されている、
請求項２に記載した椅子。
【請求項４】
前記ストッパーの少なくとも下面は丸みを帯びた曲面に形成されている、
請求項１〜３のうちのいずれかに記載した椅子。
【手続補正２】
【補正対象書類名】明細書
【補正対象項目名】０００１
【補正方法】変更
【補正の内容】
【０００１】
本願発明は、着座者が上半身を左右に動かす（揺する）ことに追従してスイングできる椅子に関するものである。
【手続補正３】
【補正対象書類名】明細書
【補正対象項目名】０００８
【補正方法】変更
【補正の内容】
【０００８】
本願発明は、各請求項の構成を含んでいる。このうち請求項１の発明は、
「座とこれを支持する脚とを備えて、前記脚に、当該脚と前記座とが一体にスイングすることを許容する下向き凸状接地部を形成している」
という基本構成において、
「前記脚における下向き凸状接地部の両端に、床に当接してスイング動を規制するストッパーが下向きに突設されており、
かつ、前記ストッパーは前記脚とは異なる色に形成されている」
という構成が付加されている。
【手続補正４】
【補正対象書類名】明細書
【補正対象項目名】０００９
【補正方法】変更
【補正の内容】
【０００９】
請求項２の発明は、請求項１と同じ基本構成において、
「前記脚は、前記下向き凸状接地部とその両端に一体に連続した支柱とを備えて、前記下向き凸状接地部と支柱との連接部は湾曲したコーナー部になっており、前記両コーナー部に、床に当接してスイング動を規制するストッパーが下向きに突設されている」
という構成になっている。
【手続補正５】
【補正対象書類名】明細書
【補正対象項目名】００１０
【補正方法】変更
【補正の内容】
【００１０】
請求項３の発明は、請求項２において、
「前記ストッパーは前記脚とは異なる色に形成されている」
という構成になっている。
また、請求項４では、請求項１〜３のうちのいずれかにおいて、
「前記ストッパーの少なくとも下面は丸みを帯びた曲面に形成されている」
という構成になっている。
【手続補正６】
【補正対象書類名】明細書
【補正対象項目名】００１２
【補正方法】変更
【補正の内容】
【００１２】
椅子がスイングしたとき、傾ききった状態のときに床に大きな力がモーメントとして作用する。このため、脚の端部が床に直接当たると、床が傷つきやすくなるおそれがあるが、本願各発明のようにストッパーを設けると、ストッパーに緩衝機能を持たせることにより、床の傷つきを防止又は抑制可能となる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
そして、請求項１，３では、脚とストッパーとの色が異なっていることにより、椅子がスイング機能を有することを使用者に視覚的に把握させることができるため、不特定多数の人が使用する椅子として使用しても、人が着座した後に椅子が傾いて戸惑うようなことを防止できる。
【手続補正９】
【補正対象書類名】明細書
【補正対象項目名】００１７
【補正方法】変更
【補正の内容】
【００１７】
請求項４のように、ストッパーの少なくとも下面を曲面に形成すると、製造誤差等でストッパーの姿勢に多少の違いがあったり床に凹凸があったりしても、ストッパーが床に点接触状に当接して安定した当接機能を確保できる。すなわち、取付け誤差等を吸収して、安定した当接状態を確保できる。また、ストッパーを球状に形成すると、ストッパーは膨れた状態になっていて表面積が広がるため、椅子の手前からや横から見たときに視認性を一層向上させることができる。
【手続補正１０】
【補正対象書類名】明細書
【補正対象項目名】００１８
【補正方法】削除
【補正の内容】
【手続補正１１】
【補正対象書類名】明細書
【補正対象項目名】００２０
【補正方法】変更
【補正の内容】
【００２０】
(1).実施形態の構造
次に、本願発明の実施形態を図面に基づいて説明する。なお、以下では、方向を特定するため前後・左右の文言を使用するが、この前後・左右は、普通に着座した人の向きを基準にしている。正面視方向は、着座者と対向した方向である。
【手続補正１２】
【補正対象書類名】明細書
【補正対象項目名】００２３
【補正方法】変更
【補正の内容】
【００２３】
脚２は金属製のパイプ又は棒材を使用して作られており、床に載る（接地する）下部枠体６と、下部枠体６における前端部の左右両端から立ち上がった左右の支柱７と、支柱７の上端に設けた上部枠体８とを備えており、上部枠体８にブラケット９を固定し、ブラケット９に座板３を固定している。支柱７の下端は平面視で座１の前端部の箇所に位置しているが、支柱７の上端は、座１の前端よりも少し後ろ（座１の前後中間位置よりも手前）に位置している。従って、支柱７は緩い角度で後傾している。
【手続補正１３】
【補正対象書類名】明細書
【補正対象項目名】００２５
【補正方法】変更
【補正の内容】
【００２５】
サイドメンバー６ｂの前端はフロントメンバー６ａに溶接されており、フロントメンバー６ａの左右両端に支柱７を曲げ形成している。上部枠体８は、支柱７の上端を後ろ向きに曲げてから更に内側に曲げることによって形成されている。従って、上部枠体８も、全体として、平面視前向き開口Ｕ形になっている。フロントメンバー６ａは前接地部になっており、本実施形態では、このフロントメンバー６ａが請求項に記載した下向き凸状接地部になっている。
【手続補正１４】
【補正対象書類名】明細書
【補正対象項目名】００２８
【補正方法】変更
【補正の内容】
【００２８】
下部枠体６のフロントメンバー６ａは正面視で下向き凸のく字形に曲がっており、左右中間部が頂点になっている（下向き凸状接地部になっている。）。この頂点部に、樹脂製の前接地体１０が下方から固定されている。他方、下部枠体６のうち後ろ接地部となるリアメンバー６ｃは、平面視で前向き凹状に緩く湾曲しており、サイドメンバー６ｂと滑らかに連続している。リアメンバー６ｃには、樹脂製の後ろ接地体１１が下方から固定されており、後ろ接地体１１は後ろコーナー部６ｄまで及んでいる。
【手続補正１５】
【補正対象書類名】明細書
【補正対象項目名】００３１
【補正方法】変更
【補正の内容】
【００３１】
フロントメンバー６ａの左右端部には、スイングしきった状態で床に当接するストッパー１２を下向きに突設している。従って、ストッパー１２と床との高低差が、スイングの最大高低差になっている。ストッパー１２は樹脂製で球状に形成されており、フロントメンバー６ａの左右端部に設けたボルト（ビス）１３にねじ込みによって取付けている。ボルト１３は、いわゆるホーローセットを使用している。ストッパー１２には、金属製のナットをインサート成形によって埋設している。
例えば図３（Ｃ）に明示するように、フロントメンバー６ａの左右両端と支柱７との連接部は正面視で湾曲したコーナー部になっており、ストッパー１２はこのコーナー部に取り付けられている。
【手続補正１６】
【補正対象書類名】明細書
【補正対象項目名】００３４
【補正方法】変更
【補正の内容】
【００３４】
(2).まとめ
以上のとおり、着座者が身体を左右に揺すると椅子が左右にスイングするため、椅子を運動具として使用して、リラックスしたり緊張をほぐして血行を促進させたりすることができる。両足を下部枠体６のフロントメンバー６ａに載せると、スイングをダイナミックに行うことができるが、支柱７は後傾しているため、着座者が下部枠体６のフロントメンバー６ａに足を載せても足が支柱７に当たることはなくて、使い勝手がよい。
【手続補正１７】
【補正対象書類名】明細書
【補正対象項目名】００４４
【補正方法】変更
【補正の内容】
【００４４】
この場合、スイングに際して後ろ接地体１１の接地位置は後ろコーナー部６ｄに向けて移動していくが、椅子の前端の回動支点は前接地体１０の箇所で一定しているので、椅子の回動中心線は、図２（Ｂ）において符号１5 で示す完全な前後長手の姿勢から、符号１６で示す平面視傾斜姿勢に移行していく。従って、椅子( 及び身体) は、左右方向に回動しつつ手前側にも回動しており、従って、ストッパー１２が床に当接する状態にスムースに移行していく。また、後ろ接地体１１は平面視で円弧状に湾曲しているため、左右動しつつ前傾動する動きが非常に滑らかになっている。
【手続補正１８】
【補正対象書類名】明細書
【補正対象項目名】００４９
【補正方法】変更
【補正の内容】
【００４９】
１  座
２  脚
３  座板
６  脚を構成する下部枠体
６ａ  下部枠体のフロントメンバー（下向き凸状接地部）
６ｂ  下部枠体のサイドメンバー
６ｃ  下部枠体のリアメンバー
６ｄ  後ろコーナー部
７  脚を構成する支柱
８  脚を構成する上部枠体
９  ブラケット
１０  前接地体
１１  後ろ接地体
１２  ストッパー
１３  ボルト